(57)【要約】      （修正有）【課題】臍ゴムにおける空気漏れを低減する。【解決手段】臍ゴム本体の底部に空体部を設け、空体部に臍ゴム本体とは封鎖機能を異にした強力な弾性力をもつ封鎖装置機能専用体１２を設置、この専用体１２に、空気の完全封鎖を計る封鎖機能弁となる内外二重チューブからなる球体形二重ゴムチューブ封鎖装置機能弁９を内包し、空気送入機能と凝固封鎖機能をもつ該封鎖装置機能専用体機能弁１０となる。機能弁９の内側チューブ１３には空気と接触時凝固反応するシアノアクリレートのゼリー体１４と、外側チューブ１５内には空気と凝固協調材極小微粒子入り空気層１５´を設ける。【選択図】図３
2011136139.tif 000002
【特許請求の範囲】
【請求項１】
臍ゴムは、サッカー、バレーボール、軟式テニスボールなど臍ゴムをもって空気をボール中空部に送出入とその空気封鎖を兼ねる弁で、本発明の臍ゴムにおける空気漏れ封鎖装置弁は、臍ゴム内の空気の封鎖を高める封鎖装置機能弁で、臍ゴム本体の底部に空体部を設け、その空体部に、本体とは別機能なる封鎖専用装置としての封鎖装置機能体を、臍ゴム本体とは封鎖機能を異にした封鎖装置機能専用体として反発性や狭窄機能弾性の強い生ゴムや、生ゴムに硫黄を加硫した高分子化ゴム、またゴム弾性強調する合成高分子化合ゴムなどを主体とした収縮性、弾性や機密性などを強調する封鎖装置機能専用体を臍ゴム本体の底部に設置し、更にこの専用体内に、空気の完全封鎖を計る封鎖装置機能弁となる球体形二重チューブを設けてなる球体形二重チューブ封鎖装置機能弁を内包し、封鎖装置機能専用体と併設するもので、その球体形二重チューブ封鎖装置機能弁は、球体形二重チューブの封鎖装置機能弁の内側チューブ内には、内側チューブ容器として強化ゴムチューブや高分子ゴムやポリエチレンチューブ、アルミチューブ等を要し、内側チューブ内には、空気中成分の水分に触媒凝固する瞬間接着剤の原材料なるシアノアクリレートのゼリー体から成り、外側チューブは、天然ゴムや合成高分子化合ゴムなどに凹凸を設け、凹凸部の空気と共にゼリー化したシアノアクリレートと接触時において凝固反応体としての空気中成分の水分との触媒凝固、凝固協調材となる極小紙微粒子、極小木微粒子や極小軽量微粒子など極小微粒子群を空気部に凝固封鎖補助材として混入空気層を外側チューブと内側チューブ間に置く機能体となり、内側外側チューブの合設で球体形二重チューブ封鎖装置機能弁となるもので、空気送入時は、空気送入針により球体形二重チューブ封鎖装置機能弁内包の封鎖装置機能専用体を貫通通過時、封鎖装置機能専用体は、空気送入機能と空気封鎖機能と共有の該封鎖装置機能専用体機能弁となり、空気送入時、球体形二重チューブ封鎖装置機能弁において、空気送入針により内側外側チューブの合設部の針入部、針出部に入針、入針により針部が破れ、空気封鎖機能がシアノアクリレート凝固剤と空気と凝固封鎖補助材の極小微粒子群混入により空気層にて凝固封鎖機能が作動し、即ち球体形二重ゴムチューブの上部から下部への空気送入針による貫通孔開、貫通孔開後の針排出後において、球状二重チューブの内側チューブシアノアクリレートと、外側チューブ内の空気中成分の水分と反応凝固する凝固剤に対応凝固する凝固協調材極小微粒子群の極小微粒子群入り空気層は凝固封鎖に至り、ボール内中空部空気の完全封鎖を計る封鎖装置機能弁となる該封鎖装置機能専用体機能弁機能として、空気送入時瞬間的に作動、貫通孔の空気送入針の針入部、針出部の凝固封鎖に至るもので、球体形二重チューブの貫通孔の空気送入針の針入部、針出部の凝固に至り中空体の空気の完全封鎖を計り、該封鎖装置機能専用体機能弁なる空気送入と空気封鎖を司る弁となり、しかも空気流路は、臍ゴム本体と臍ゴム本体とは封鎖機能を異にした収縮性や機密性などを強調する封鎖装置機能専用体なる封鎖装置機能専用弁自身と、専用弁に内包した、球体形二重チューブ封鎖装置機能弁による空気漏れ封鎖の機能効果的特徴を持つ封鎖装置機能体弁となるもので、球体形状二重チューブへの貫通孔針入部、貫通孔針出部の凝固封鎖の実行を司り、その他空気送入針抜粋後においては内側チューブ内の、ゼリー化した主成分シアノアクリレート自身のゼリー体故の空気通過路の消滅をみるもので、封鎖装置機能弁の弁以外の封鎖機能をも有し、ボール中空部への空気送入後において、臍ゴム本体の機能、該封鎖装置機能専用体機能弁の封鎖装置機能専用体の機能、封鎖装置機能専用体に内包された球体形二重チューブ封鎖装置機能弁作動、空気通過路の消滅等、多重封鎖機能を司り完全封鎖化を計る効果的手段と特徴を持つ臍ゴムにおける空気漏れ封鎖機能弁装置。
【発明の詳細な説明】
【技術分野】
【０００１】  臍ゴム本体の本来機能は、空気漏れ封鎖機能体であり、空気漏れ防止封鎖体であるが、主として、臍ゴム本体の弾力の緩みや、空気送出入口にあたる空気送出入針跡からの空気漏れが生じることがあり、空気漏れ封鎖体を改善し、構造の改革、機能化を求める機能的なる空気漏れ封鎖弁装置に関するものである。
【背景技術】
【０００２】  臍ゴムによる中空体への空気送出入は、臍ゴムに空気送出入針をもって、ボールなど球体の中空体の臍ゴムを通し空気送出入を司るもので、臍ゴムの空気漏れ空気流出防止本体機能のみの封鎖機能や、臍ゴム中心部に単純に合成ゴム塊や、樹脂の塊など配置し空気送出入誘導路による空気漏れ空気流出防止機能を施したものがある。また、空気導出入溝があり、そのための空気送出入孔の送入口、送出口があり、空気漏れ空気流出など生じる。【０００３】
【特許文献】実公  昭２６−００６８０９  特開  昭５２−１００５６５  特開  ２００６−１４９７９３  実開  昭５２−００７７５２  実開  昭５３−０９１７６５  実開  昭５４−０６４５６２  実開  昭５４−１４２５６４  他には特に記載すべき先行技術文献はありません。
【発明の概要】
【発明が解決しようとする課題】
【０００４】  臍ゴム本体の機能性を問うもので、従来の臍ゴムの機能構造では、臍ゴムを通りボールなど球体の中空体への空気送出入後の機密性が弱く、空気漏れの防止機能に多大な難点があり、空気送出入針の挿入後の、針通過跡などに於ける空気漏れ空気流出防止機能度は弱く、度々空気送入の必要が生じる。
【課題を解決するための手段】
【０００５】  臍ゴムは、サッカー、バレーボール、軟式テニスボールなど臍ゴムをもって空気をボール中空部に送出入とその空気封鎖を兼ねる弁で、本発明の臍ゴムにおける空気漏れ封鎖装置弁は、臍ゴム内の空気の封鎖を高める封鎖装置機能弁で、臍ゴム本体の底部に空体部を設け、その空体部に、本体とは別機能なる封鎖専用装置としての封鎖装置機能体を、臍ゴム本体とは封鎖機能を異にした封鎖装置機能専用体として反発性や狭窄機能弾性の強い生ゴムや、生ゴムに硫黄を加硫した高分子化ゴム、またゴム弾性強調する合成高分子化合ゴムなどを主体とした収縮性、弾性や機密性などを強調する封鎖装置機能専用体を臍ゴム本体の底部に設置し、更にこの専用体内に、空気の完全封鎖を計る封鎖装置機能弁となる球体形二重チューブを設けてなる球体形二重チューブ封鎖装置機能弁を内包し、封鎖装置機能専用体と併設するもので、その球体形二重チューブ封鎖装置機能弁は、球体形二重チューブの封鎖装置機能弁の内側チューブ内には、内側チューブ容器として強化ゴムチューブや高分子ゴムやポリエチレンチューブ、アルミチューブ等を要し、内側チューブ内には、空気中成分の水分に触媒凝固する瞬間接着剤の原材料なるシアノアクリレートのゼリー体から成り、外側チューブは、天然ゴムや合成高分子化合ゴムなどに凹凸を設け、凹凸部の空気と共にゼリー化したシアノアクリレートと接触時において凝固反応体としての空気中成分の水分との触媒凝固、凝固協調材となる極小紙微粒子、極小木微粒子や極小軽量微粒子など極小微粒子群を空気部に凝固封鎖補助材として混入空気層を外側チューブと内側チューブ間に置く機能体となり、内側外側チューブの合設で球体形二重チューブ封鎖装置機能弁となるもので、空気送入時は、空気送入針により球体形二重チューブ封鎖装置機能弁内包の封鎖装置機能専用体を貫通通過時、封鎖装置機能専用体は、空気送入機能と空気封鎖機能と共有の該封鎖装置機能専用体機能弁となり、空気送入時、球体形二重チューブ封鎖装置機能弁において、空気送入針により内側外側チューブの合設部の針入部、針出部に入針、入針により針部が破れ、空気封鎖機能がシアノアクリレート凝固剤と空気と凝固封鎖補助材の極小微粒子群混入により空気層にて凝固封鎖機能が作動し、即ち球体形二重ゴムチューブの上部から下部への空気送入針による貫通孔開、貫通孔開後の針排出後において、球状二重チューブの内側チューブシアノアクリレートと、外側チューブ内の空気中成分の水分と反応凝固する凝固剤に対応凝固する凝固協調材極小微粒子群の極小微粒子群入り空気層は凝固封鎖に至り、ボール内中空部空気の完全封鎖を計る封鎖装置機能弁となる該封鎖装置機能専用体機能弁機能として、空気送入時瞬間的に作動、貫通孔の空気送入針の針入部、針出部の凝固封鎖に至るもので、球体形二重チューブの貫通孔の空気送入針の針入部、針出部の凝固に至り中空体の空気の完全封鎖を計り、該封鎖装置機能専用体機能弁なる空気送入と空気封鎖を司る弁となり、しかも空気流路は、臍ゴム本体と臍ゴム本体とは封鎖機能を異にした収縮性や機密性などを強調する封鎖装置機能専用体なる封鎖装置機能専用弁自身と、専用弁に内包した、球体形二重チューブ封鎖装置機能弁による空気���れ封鎖の機能効果的特徴を持つ封鎖装置機能体弁となるもので、球体形状二重チューブへの貫通孔針入部、貫通孔針出部の凝固封鎖の実行を司り、その他空気送入針抜粋後においては内側チューブ内の、ゼリー化した主成分シアノアクリレート自身のゼリー体故の空気通過路の消滅をみるもので、封鎖装置機能弁の弁以外の封鎖機能をも有し、ボール中空部への空気送入後において、臍ゴム本体の機能、該封鎖装置機能専用体機能弁の封鎖装置機能専用体の機能、封鎖装置機能専用体に内包された球体形二重チューブ封鎖装置機能弁作動、空気通過路の消滅等、多重封鎖機能を司り完全封鎖化を計る効果的手段と特徴を持つ臍ゴムにおける空気漏れ封鎖機能弁装置。
【発明の効果】
【０００６】  臍ゴムにおける空気漏れ封鎖装置弁は、臍ゴム本体とは封鎖機能を異にした封鎖装置機能専用体としての反発性や狭窄機能弾性の強い生ゴムや、生ゴムに硫黄を加硫した高分子化ゴム、またゴム弾性を示す合成高分子化合ゴムなどを主体とした収縮性、弾性や機密性などを強調する封鎖装置機能専用体を設置し、更に、この専用体に、空気の完全封鎖を計る封鎖装置機能弁となる球体形二重チューブ封鎖装置機能弁を内包し併設するもので、併設したものを臍ゴム空体部に設入設置装備して空気漏れ防止機能封鎖装置と成るもので、封鎖装置機能弁併設の封鎖装置機能専用体は空気送入と空気封鎖の両機能を司る該封鎖装置機能専用体機能弁となり、その該封鎖装置機能専用体機能弁は、空気漏れ封鎖装置弁として封鎖機能なる主なる封鎖機能弁となる。中でも臍ゴム本体とは封鎖機能を異にした封鎖装置機能専用体なる封鎖装置機能専用体自身と、専用体に内包した、球体形二重チューブ封鎖装置機能弁の合体の該封鎖装置機能専用体機能弁は、球体形二重チューブ封鎖装置機能弁内のシアノアクリレートのゼリー体に即応する空気中成分の水分との触媒凝固の空気や凝固協調材となる極小紙微粒子や極小木微粒子、極小軽量微粒子など極小微粒子群混入空気層なる凝固反応や凝固封鎖に効果は大きく、またシアノアクリレートのゼリー体自身の空気通路の消滅機能化は、封鎖効果の拡大に繋がる効果は該弾性封鎖体塊弁そのものであり空気漏れ防止機能封鎖装置の主用要素であり効果は計り知れないものがある。【０００７】  空気の完全封鎖を計り封鎖装置機能弁となる該封鎖装置機能専用体機能弁の封鎖装置機能専用体、球体形二重チューブは、空気送入針により封鎖装置機能専用体を通り球体形二重チューブを貫通孔開に至るもので、球体形二重チューブの上部から下部への空気送入針による貫通孔開、貫通孔開後において、球体形二重チューブの内側チューブ内のシアノアクリレートのゼリー体と、外側チューブ凹凸部内のシアノアクリレートのゼリー体に対応即応凝固反応する空気および凝固協調補助材となる極小紙微粒子や極小木微粒子、極小軽量微粒子など極小微粒子群混入空気層と対応し凝固反応する。該封鎖装置機能専用体機能弁が内包する球体形二重チューブ封鎖装置機能弁がボール内中空部の空気を封鎖作動に至り、球状二重ゴムチューブの貫通孔の空気送入針の針入部、針出部の凝固封鎖に至る。機能的球状二重ゴムチューブの効果そのものである。【０００８】  本発明の臍ゴムにおける空気漏れ封鎖装置弁における封鎖装置弁つき臍ゴムは、該封鎖装置機能専用体機能弁の球体形二重チューブ主機能は、空気送入針により新封鎖装置機能専用体を通り球体形二重チューブを貫通孔開に至るもので、球体形二重チューブの上部から下部への空気送入針による貫通孔開、貫通孔開後において球体形二重チューブへの貫通孔針入部、針出部の凝固封鎖と球体形二重チューブ内側チューブ内のシアノアクリレートのゼリー体による流路の消滅に至る。
従来の臍ゴムの空気送入針の空気誘導ルートと、空気封鎖する封鎖装置機能専用体、多重封鎖を計る球体形二重チューブ封鎖装置機能弁の該封鎖装置機能専用体機能弁に繋がる臍ゴムである。従来の臍ゴムに、機能効果、構造効果をプラスし空気の完全封鎖を計る効果的機能構造により、機密性効果を高める効果的な多重封鎖の臍ゴムにおける空気漏れ封鎖弁装置である。【０００９】  本発明の空気漏れ防止機能封鎖装置は、封鎖装置機能専用体に内包された球状二重ゴムチューブからなり、球体形二重チューブの上部から下部への空気送入針による貫通孔開けを成された該封鎖装置機能専用体機能弁からなるもので、主なる機能の球体形二重チューブ封鎖装置機能弁による凝固封鎖に至るものであるが、再度の空気送入針による貫通に際しても、球状二重ゴムチューブ機能は同様機能作用を繰り返しても封鎖効果は変わらない。内側チューブ内のシアノアクリレートのゼリー体と外側チューブ内のチューブ内部壁の凹凸部の残存空気や残存微粒子群による凝固による封鎖や、シアノアクリレートのゼリー体による流路に消滅による封鎖効果は変わらなく、また空気補充送入時の空気送入において空気送入針の抜き差しに起こる少量の空気利用のみでも時間的経過をもって凝固封鎖に繋がり凝固封鎖に至る。空気漏れ防止機能封鎖装置の封鎖効果は変わらない。【００１０】  球体形二重チューブ外側のチューブの凹凸は、内側チューブとの間にあって外側チューブ内側チューブの球体形二重チューブ封鎖装置機能弁の安定をも兼ねるもので、凹凸は凹凸部の空気や微粒子群の凝固反応の空気成分および凝固協調材となる極小紙微粒子や極小木微粒子、極小軽量微粒子など極小微粒子群の安定的提供を果たし、外側チューブの凹凸の役割は大きい。【００１１】  本発明の機能に関わる球体形二重チューブの内側チューブ内のシアノアクリレートのゼリー体は、他の即応瞬間的凝固封鎖機能が変わらないゼリー体、溶液使用の場合、変更使用においては、空気漏れ封鎖機能弁装置としての効果は変わらない。ノルマルヘキサン、シクロヘキサン入り天然ゴム系接着剤や合成ゴム系接着剤などがある。また、封鎖装置機能専用体や球体形二重チューブのチューブ本体原材料の機能や封鎖補助材においても適応性、機能が変わらない場合においては空気漏れ防止封鎖機能効果は変わらない。球体形二重チューブ内の紙微粒子、木の微粒子以外のものも微粒子の軽量、粘着度の適応性があれば可とする空気漏れ封鎖弁機能装置の封鎖補助材となる。
【発明を実施するための形態】
【００１２】  本発明の実施例図について図面を参照して説明する。図１は、本発明の空気漏れ防止封鎖装置の、装置作成過程の断面実施図である。
サッカーボールや軟式テニスボールなどに使用の臍ゴム本体に設けられた空体部５に、封鎖装置機能専用体１２、および、封鎖装置機能専用体に内包する空気封鎖遮断を計る目的なる球状二重ゴムチューブ封鎖装置機能弁９の該封鎖装置機能専用体機能弁１０を、臍ゴム空体部に設入設置装備してなり、即ち、球状二重ゴムチューブ封鎖装置機能弁９の内側チューブ１３には、空気と接触時凝固反応するシアノアクリレートのゼリー体１４、外側チューブ１５内には、空気と接触時凝固反応するシアノアクリレートのゼリー体に対応する凝固反応の空気および凝固協調材となる極小紙微粒子や極小木微粒子、極小軽量微粒子など極小微粒子群の混入した空気層１５´を設けた中空体空気の完全封鎖を計る球体形二重チューブ封鎖装置機能弁９となり、臍ゴム本体とは封鎖機能を異にした新封鎖装置機能専用体１２なる封鎖装置機能専用体自身と、専用体に内包した、球状二重ゴムチューブ封鎖装置機能弁９による二重効果化を図ったものを、該封鎖装置機能専用体機能弁１０とし、臍ゴム空体部５に設入設置装備し、封鎖装置機能専用体１２および封鎖装置機能専用体１２に内包する空気封鎖遮断を計る目的なる球体形二重チューブ封鎖装置機能弁９による封鎖対応する臍ゴムである。
【００１３】  図２は、空気漏れ防止封鎖装置の臍ゴム本体８に設けられた空体部５に、該封鎖装置機能専用体機能弁１０を挿入設置後、空気送入針７を臍ゴムに差し込み図である。
【００１４】  図３、図４については、該封鎖装置機能専用体機能弁１０を挿入設置後、空気送入針７を臍ゴムより空気送入針抜粋後の該封鎖装置機能専用体機能弁１０の封鎖装置機能専用体１２なる封鎖装置機能専用体１２自身と球状二重ゴムチューブ封鎖装置機能弁９の封鎖実施断面状況見取り図。図４は、該封鎖装置機能専用体機能弁１０の封鎖実施後断面拡大図である。
【００１５】  図５から図８は、図１から図４に至る封鎖装置機能専用体１２に内包する封鎖装置機能弁９なる該封鎖装置機能専用体機能弁１０について形態、機能についての実施模式例および概略断面図、概略見取り図である。
【００１６】  図５については、球体形二重チューブ封鎖装置機能弁９の球体形二重チューブの内側チューブを形成するもので、内側チューブ１３に、内側チューブ送入口１８より接触時において凝固反応体なるシアノアクリレートのゼリー体１４を真空注入装填し、送入口１８を封鎖し、凹凸をもった凹凸つき強い生ゴムや、生ゴムに硫黄を加硫した高分子化ゴム等で形成された機能化され、混入空気層を設けた外側チューブ１５を、内側チューブに外側チューブを合設した球体形二重チューブ封鎖装置機能弁９となる。
【００１７】  図５において、内側チューブ１３にシアノアクリレートのゼリー体１４を真空注入装填し、真空封鎖後内側チューブ１３のゼリー体送入口１８´の加圧熱処理真空封鎖したもの１８。
【００１８】  図６は、合設した球体形二重チューブ封鎖装置機能弁９の断面図で、封鎖装置機能専用体１２に装填合設する。
【００１９】  図５、図６について、球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子など極小微粒子群混入空気層を設けた外側チューブ１５は、内側チューブ１４とセッティングし球体形二重チューブ封鎖装置機能弁９となる。外側チューブ１５に凹凸部を設けたことにより球体形二重チューブ封鎖装置機能弁９の安定的セッティングが得られる。
【００２０】  図７は、封鎖装置機能専用体１２に設けられた球体形二重チューブ封鎖装置機能弁９セッティング空部１９。封鎖装置機能専用体１２に、球体形二重チューブ封鎖装置機能弁９をセッティング口２０より合設する。
【００２１】  図８は、封鎖装置機能専用体１２に球体形二重チューブ封鎖装置機能弁９セッティング後の断面図。
【００２２】  図９は、封鎖装置機能専用体１２と球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子など極小微粒子群混入空気層１５´を設けた外側チューブ１５と一体化したものに、空気と接触時凝固反応するシアノアクリレートのゼリー体１４入り内側チューブ１４ゼリー体入り内側チューブを封鎖装置機能専用体１２と球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子など極小微粒子群混入空気層１５´を設けた外側チューブ１５と一体化したものにセッティングする。工程として利点もあり、球体形二重チューブ使用の球体形二重チューブ封鎖装置機能弁９と封鎖効果は変わらない。セッティング方法は球体形二重チューブ封鎖装置機能弁９使用と変わらない。
【００２３】  凝固協調材となる極小紙微粒子や極小木微粒子、極小軽量微粒子など極小微粒子群については、外側チューブ１５凹凸部または内側チューブ１３表面に軽く塗布状に筆または刷毛などで着床、内側チューブ、外側チューブとのセッティングで微粒子入り空気層１５´となる。
【００２４】  球体形二重チューブ封鎖装置機能弁９について、球状ではなく、効果的封鎖を司るには、球体形なる自在の球体形をさすもので、より効果的球体形で求めるもので、この出願例としてラクビーボールを縦にしたもので、空気送出入針７が球体形二重チューブ封鎖装置機能弁９に達し、封鎖装置機能弁が作動したとき、封鎖装置機能専用体１２の反発性や弾性による狭窄力が、球体形二重チューブ封鎖装置機能弁と封鎖装置機能専用体の積量比率において封鎖装置機能専用体の弾性や収縮力を高め封鎖効果を高める。より機能的に作動し効果のある形状を示唆した球体形二重チューブ封鎖装置機能弁９のラクビーボールを球体形二重チューブ封鎖装置機能弁９の形とした所以である。球体形二重チューブ封鎖装置機能弁９の形の合理的変更は可能とするものです。
【図面の簡単な説明】
【００２５】
【図１】本発明の空気漏れ防止封鎖弁装置の装置作成過程の断面実施図、臍ゴム本体に設けられた空体部５に、封鎖装置機能専用体１２と、この封鎖装置機能専用体１２に内包する空気封鎖遮断を計る目的なる球体形二重チューブ封鎖装置機能弁９設置の該弾性封鎖体塊弁１０を挿入する概略断面図である。
【図２】本発明の空気漏れ防止封鎖弁装置の装置作成過程の断面実施図、臍ゴム本体に設けられた空体部５に、封鎖装置機能専用体１２と、この封鎖装置機能専用体９に内包する空気封鎖遮断を計る目的なる球体形二重チューブ封鎖装置機能弁９を合設の該封鎖装置機能専用体機能弁１０に空気送出入針７を臍ゴムに射し入れ後の概略断面図と臍ゴム部の裏面図２１。
【図３】本発明の空気漏れ防止封鎖弁装置の装置作成過程の断面実施図で、臍ゴム本体に設けられた空体部５に、封鎖装置機能専用体１２と、この封鎖装置機能専用体１２に内包する空気封鎖遮断を計る目的なる球状二重ゴムチューブ封鎖装置機能弁９設置の該封鎖装置機能専用体機能弁１０に挿入後、空気送出入針７の空気送出入針７抜粋後における該封鎖装置機能専用体機能弁１０の空気漏れ防止封鎖弁装置作動後の凝固封鎖１６，１７の概略断面実施図。
【図４】該封鎖装置機能専用体機能弁１０の封鎖実施後の概略断面実施拡大図である。
【図５】内側チューブ１３に、容器としての内側チューブ送入口１８より接触時において凝固反応体なるゼリー体１４を真空装填し、送入口１８を封鎖し、凹凸をもった凹凸つき強い生ゴムや、生ゴムに硫黄を加硫した高分子化ゴム等で形成された機能化され、凝固協調材となる極小紙微粒子や極小木微粒子、極小軽量微粒子など極小微粒子群混入空気層１５´を設けた外側チューブ１５を、外側チューブ１５と内側チューブ１３の合設前の斜視実施図。
【図６】外側チューブ１５と内側チューブ１３の合設した球体形二重チューブ封鎖装置機能弁９の断面図。
【図７】封鎖装置機能専用体１２に設けられた球体形二重チューブ封鎖装置機能弁９のセッティング空部１９。封鎖装置機能専用体１２に、球体形二重チューブ封鎖装置機能弁９のセッティング口切れ目２０斜視実施図。
【図８】封鎖装置機能専用体１２に球体形二重チューブ封鎖装置機能弁９セッティング後の断面図。
【図９】封鎖装置機能専用体１２と球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子など極小微粒子群混入空気層１５´を設けた外側チューブ１５と一体化したものに、空気と接触時凝固反応するシアノアクリレートのゼリー体１４入り内側チューブ１４ゼリー体入り内側チューブを封鎖装置機能専用体１２と球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子など極小微粒子群混入空気層１５´を設けた外側チューブ１５と一体化したものにセッティング後の断面図。
【符号の説明】
【００２６】  １，…サッカーボールや軟式テニスボールなどに使用の臍ゴム球体部の中空部、  ２，…ボールなど球体の表面、  ３，…空気導出入誘導溝、  ４，…臍ゴム空気導出入孔、  ５，…臍ゴム本体底部に設けられた空体部、  ６，…空気送出入針の針穴、  ７，…空気送出入針、  ８，…臍ゴム本体、  ９，…球体形二重チューブ封鎖装置機能弁、  １０，…該封鎖装置機能専用体機能弁、  １１，…針通過跡、  １２，…封鎖装置機能専用体、  １３，…内側チューブ、  １４，…内側チューブ内の空気と接触時凝固反応するシアノアクリレートのゼリー体、  １５，…外側チューブ、  １５´，…空気と接触時凝固反応するゼリー体に対応する凝固反応の空気の空気成分、および凝固協調材となる極小紙微粒子や極小木微粒子、極小軽量微粒子など極小微粒子群の混入した空気層、  １６，…球体形二重チューブ封鎖装置機能弁の送入針による貫通孔針入部の凝固封鎖部、  １７，…球体形二重チューブ封鎖装置機能弁の送入針による貫通孔針出部の凝固封鎖部、  １８´，…内側チューブのチューブ封鎖前の送入閉鎖された送入口、  １８，…内側チューブのチューブ封鎖後の口、  １９，…封鎖装置機能専用体における球体形二重チューブ封鎖装置機能弁セッティング空部、  ２０，…封鎖装置機能専用体に球体形二重チューブ封鎖装置機能弁のセッティング口、  ２１，…臍ゴム裏面図
【図１】
2011136139.tif 000003
【図２】
2011136139.tif 000004
【図３】
2011136139.tif 000005
【図４】
2011136139.tif 000006
【図５】
2011136139.tif 000007
【図６】
2011136139.tif 000008
【図７】
2011136139.tif 000009
【図８】
2011136139.tif 000010
【図９】
2011136139.tif 000011
【手続補正書】
【提出日】平成22年4月15日(2010.4.15)
【手続補正１】
【補正対象書類名】明細書
【補正対象項目名】０００５
【補正方法】変更
【補正の内容】
【０００５】  臍ゴムは、サッカー、バレーボール、軟式テニスボールなど臍ゴムをもって空気をボール中空部に送出入とその空気封鎖を兼ねる弁で、本発明の臍ゴムにおける空気漏れ封鎖装置弁は、臍ゴム内の空気の封鎖を高める封鎖装置機能弁で、臍ゴム本体の底部に空体部を設け、その空体部に、本体とは別機能なる封鎖専用装置としての封鎖装置機能体を、臍ゴム本体とは封鎖機能を異にした封鎖装置機能専用体として反発性や狭窄機能弾性の強い生ゴムや、生ゴムに硫黄を加硫した高分子化ゴム、またゴム弾性強調する合成高分子化合ゴムなどを主体とした収縮性、弾性や機密性などを強調する封鎖装置機能専用体を臍ゴム本体の底部に設置し、更にこの専用体内に、空気の完全封鎖を計る封鎖装置機能弁となる球体形二重チューブを設けてなる球体形二重チューブ封鎖装置機能弁を内包し、封鎖装置機能専用体と併設するもので、その球体形二重チューブ封鎖装置機能弁は、球体形二重チューブの封鎖装置機能弁の内側チューブ内には、内側チューブ容器として強化ゴムチューブや高分子ゴムやポリエチレンチューブ、アルミチューブ等を要し、内側チューブ内には、空気中成分の水分に触媒凝固する瞬間接着剤の原材料なるシアノアクリレートのゼリー体から成り、外側チューブは、天然ゴムや合成高分子化合ゴムなどに凹凸を設け、凹凸部の空気と共にゼリー化したシアノアクリレートと接触時において凝固反応体としての空気中成分の水分との触媒凝固、凝固協調材となる極小紙微粒子、極小木微粒子や極小軽量微粒子など極小微粒子群を空気部に凝固封鎖補助材として混入空気層を外側チューブと内側チューブ間に置く機能体空気層となり、内側外側チューブの合設で球体形二重チューブ封鎖装置機能弁となるもので、空気送入時は、空気送入針により球体形二重チューブ封鎖装置機能弁内包する封鎖装置機能専用体を貫通通過時、封鎖装置機能専用体の機能と球体形二重チューブ封鎖装置機能弁の機能をもつ封鎖装置機能専用体は、空気送入機能と空気封鎖機能と共有の該封鎖装置機能専用体機能弁となり、空気送入時、球体形二重チューブ封鎖装置機能弁において、空気送入針により内側外側チューブの合設部の針入部、針出部に入針、入針により針部が破れ、空気封鎖機能がシアノアクリレート凝固剤と空気と凝固封鎖補助材の極小微粒子群混入により空気層にて凝固封鎖機能が作動し、即ち球体形二重ゴムチューブの上部から下部への空気送入針による貫通孔開、貫通孔開後の針排出後において、封鎖装置機能専用体の弾性や収縮性により、球体形二重チューブ封鎖装置機能弁の稼働につながり、球体形二重チューブ封鎖装置機能弁内側チューブ内シアノアクリレートのゼリー体は専用体の稼働機能による収縮で空気層に押し出され、ゼリー体と、外側チューブ内の空気中成分の水分と反応凝固する凝固剤に対応凝固する凝固協調材極小微粒子群の極小微粒子群入り空気層は凝固封鎖に至り、ボール内中空部空気の完全封鎖を計る封鎖装置機能弁となる該封鎖装置機能専用体機能弁機能として、空気送入時瞬間的に作動、貫通孔の空気送入針の針入部、針出部の凝固封鎖に至るもので、球体形二重チューブの貫通孔の空気送入針の針入部、針出部の凝固に至り中空体の空気の完全封鎖を計り、該封鎖装置���能専用体機能弁なる空気送入と空気封鎖を司る弁となり、しかも空気流路は、臍ゴム本体と臍ゴム本体とは封鎖機能を異にした収縮性や機密性などを強調する封鎖装置機能専用体なる封鎖装置機能専用弁自身と、専用弁に内包した、球体形二重チューブ封鎖装置機能弁による空気漏れ封鎖の機能効果的特徴を持つ封鎖装置機能体弁となるもので、球体形状二重チューブへの貫通孔針入部、貫通孔針出部の凝固封鎖の実行を司り、その他空気送入針抜粋後においては内側チューブ内の、ゼリー化した主成分シアノアクリレート自身のゼリー体故の空気通過路の消滅をみるもので、封鎖装置機能弁の弁以外の封鎖機能をも有し、ボール中空部への空気送入後において、臍ゴム本体の機能、該封鎖装置機能専用体機能弁の封鎖装置機能専用体の機能、封鎖装置機能専用体に内包された球体形二重チューブ封鎖装置機能弁作動、空気通過路の消滅等、多重封鎖機能を司り完全封鎖化を計る効果的手段と特徴を持つ臍ゴムにおける空気漏れ封鎖機能弁装置。
【手続補正２】
【補正対象書類名】明細書
【補正対象項目名】０００７
【補正方法】変更
【補正の内容】
【０００７】  空気の完全封鎖を計り封鎖装置機能弁となる該封鎖装置機能専用体機能弁の封鎖装置機能専用体、球体形二重チューブは、空気送入針により封鎖装置機能専用体を通り球体形二重チューブを貫通孔開に至るもので、球体形二重チューブの上部から下部への空気送入針による貫通孔開、貫通孔開後において、封鎖装置機能専用体の弾性や収縮性機能により、球体形二重チューブの内側チューブ内のシアノアクリレートのゼリー体は、外側チューブ空気層に内側チューブより押し出され、外側チューブ凹凸部内のシアノアクリレートのゼリー体に対応即応凝固反応する空気および凝固協調補助材となる極小紙微粒子や極小木微粒子、極小軽量微粒子など極小微粒子群混入空気層と対応し凝固反応する。該封鎖装置機能専用体機能弁が内包する球体形二重チューブ封鎖装置機能弁がボール内中空部の空気を封鎖作動に至り、球状二重ゴムチューブの貫通孔の空気送入針の針入部、針出部の凝固封鎖に至る。機能的球状二重ゴムチューブの効果そのものである。
【手続補正３】
【補正対象書類名】明細書
【補正対象項目名】０００８
【補正方法】変更
【補正の内容】
【０００８】  本発明の臍ゴムにおける空気漏れ封鎖装置弁における封鎖装置弁つき臍ゴムは、該封鎖装置機能専用体機能弁の球体形二重チューブ主機能は、空気送入針により封鎖装置機能専用体を通り球体形二重チューブの貫通孔開に至るもので、球体形二重チューブの上部から下部への空気送入針による貫通孔開、貫通孔開後において球体形二重チューブへの貫通孔針入部、針出部の凝固封鎖と球体形二重チューブ内側チューブ内のシアノアクリレートのゼリー体による流路の消滅に至る。
従来の臍ゴムの空気送入針の空気誘導ルートと、空気封鎖する封鎖装置機能専用体自身の弾性や収縮性機能、多重封鎖を計る球体形二重チューブ封鎖装置機能弁の該封鎖装置機能専用体機能弁に繋がる臍ゴムである。従来の臍ゴムに、機能効果、構造効果をプラスし空気の完全封鎖を計る効果的機能構造により、機密性効果を高める効果的な多重封鎖の臍ゴムにおける空気漏れ封鎖弁装置である。
【手続補正４】
【補正対象書類名】明細書
【補正対象項目名】０００９
【補正方法】変更
【補正の内容】
【０００９】  本発明の空気漏れ防止機能封鎖装置は、封鎖装置機能専用体に内包された球状二重ゴムチューブからなり、球体形二重チューブの上部から下部への空気送入針による貫通孔開けを成された該封鎖装置機能専用体機能弁からなるもので、主なる機能の球体形二重チューブ封鎖装置機能弁による凝固封鎖に至るものであるが、再度の空気送入針外側チューブによる貫通に際しても、封鎖装置機能専用体の弾性や収縮性機能が作動し、球状二重ゴムチューブ機能は同様機能作用を繰り返しても封鎖効果は変わらない。内側チューブ内のシアノアクリレートのゼリー体と外側チューブ内のチューブ内部壁の凹凸部の残存空気や残存微粒子群による凝固による封鎖や、シアノアクリレートのゼリー体による流路に消滅による封鎖効果は変わらなく、また空気補充送入時の空気送入において空気送入針の抜き差しに起こる少量の空気利用のみでも時間的経過をもって凝固封鎖に繋がり凝固封鎖に至る。空気漏れ防止機能封鎖装置の封鎖効果は変わらない。
【手続補正５】
【補正対象書類名】明細書
【補正対象項目名】００１０
【補正方法】変更
【補正の内容】
【００１０】  球体形二重チューブ外側のチューブの凹凸は、内側チューブとの間にあって外側チューブ内側チューブの球体形二重チューブ封鎖装置機能弁の安定をも兼ねるもので、凹凸は凹凸部の空気や微粒子群の凝固反応の空気成分および凝固協調材となる極小紙微粒子や極小木微粒子、極小軽量微粒子など極小微粒子群の安定的提供を果たし、外側チューブの凹凸の役割は大きい。
【手続補正６】
【補正対象書類名】特許請求の範囲
【補正対象項目名】請求項１
【補正方法】変更
【補正の内容】
【請求項１】
臍ゴムは、サッカー、バレーボール、軟式テニスボールなど臍ゴムをもって空気をボール中空部に送出入とその空気封鎖を兼ねる弁で、本発明の臍ゴムにおける空気漏れ封鎖装置弁は、臍ゴム内の空気の封鎖を高める封鎖装置機能弁で、臍ゴム本体の底部に空体部を設け、その空体部に、本体とは別機能なる封鎖専用装置としての封鎖装置機能体を、臍ゴム本体とは封鎖機能を異にした封鎖装置機能専用体として反発性や狭窄機能弾性の強い生ゴムや、生ゴムに硫黄を加硫した高分子化ゴム、またゴム弾性強調する合成高分子化合ゴムなどを主体とした収縮性、弾性や機密性などを強調する封鎖装置機能専用体を臍ゴム本体の底部に設置し、更にこの専用体内に、空気の完全封鎖を計る封鎖装置機能弁となる球体形二重チューブを設けてなる球体形二重チューブ封鎖装置機能弁を内包し、封鎖装置機能専用体と併設するもので、その球体形二重チューブ封鎖装置機能弁は、球体形二重チューブの封鎖装置機能弁の内側チューブ内には、内側チューブ容器として強化ゴムチューブや高分子ゴムやポリエチレンチューブ、アルミチューブ等を要し、内側チューブ内には、空気中成分の水分に触媒凝固する瞬間接着剤の原材料なるシアノアクリレートのゼリー体から成り、外側チューブは、天然ゴムや合成高分子化合ゴムなどに凹凸を設け、凹凸部の空気と共にゼリー化したシアノアクリレートと接触時において凝固反応体としての空気中成分の水分との触媒凝固、凝固協調材となる極小紙微粒子、極小木微粒子や極小軽量微粒子など極小微粒子群を空気部に凝固封鎖補助材として混入空気層を外側チューブと内側チューブ間に置く機能体空気層となり、内側外側チューブの合設で球体形二重チューブ封鎖装置機能弁となるもので、空気送入時は、空気送入針により球体形二重チューブ封鎖装置機能弁内包する封鎖装置機能専用体を貫通通過時、封鎖装置機能専用体の機能と球体形二重チューブ封鎖装置機能弁の機能をもつ封鎖装置機能専用体は、空気送入機能と空気封鎖機能と共有の該封鎖装置機能専用体機能弁となり、空気送入時、球体形二重チューブ封鎖装置機能弁において、空気送入針により内側外側チューブの合設部の針入部、針出部に入針、入針により針部が破れ、空気封鎖機能がシアノアクリレート凝固剤と空気と凝固封鎖補助材の極小微粒子群混入により空気層にて凝固封鎖機能が作動し、即ち球体形二重ゴムチューブの上部から下部への空気送入針による貫通孔開、貫通孔開後の針排出後において、封鎖装置機能専用体の弾性や収縮性により、球体形二重チューブ封鎖装置機能弁の稼働につながり、球体形二重チューブ封鎖装置機能弁内側チューブ内シアノアクリレートのゼリー体は専用体の稼働機能による収縮で空気層に押し出され、ゼリー体と、外側チューブ内の空気中成分の水分と反応凝固する凝固剤に対応凝固する凝固協調材極小微粒子群の極小微粒子群入り空気層は凝固封鎖に至り、ボール内中空部空気の完全封鎖を計る封鎖装置機能弁となる該封鎖装置機能専用体機能弁機能として、空気送入時瞬間的に作動、貫通孔の空気送入針の針入部、針出部の凝固封鎖に至るもので、球体形二重チューブの貫通孔の空気送入針の針入部、針出部の凝固に至り中空体の空気の完全封鎖を計り、該封鎖装置機能専用体機能弁なる空気送入と空気封鎖を司る弁となり、しかも空気流路は、臍ゴム本体と臍ゴム本体とは封鎖機能を異にした収縮性や機密性などを強調する封鎖装置機能専用体なる封鎖装置機能専用弁自身と、専用弁に内包した、球体形二重チューブ封鎖装置機能弁による空気漏れ封鎖の機能効果的特徴を持つ封鎖装置機能体弁となるもので、球体形状二重チューブへの貫通孔針入部、貫通孔針出部の凝固封鎖の実行を司り、その他空気送入針抜粋後においては内側チューブ内の、ゼリー化した主成分シアノアクリレート自身のゼリー体故の空気通過路の消滅をみるもので、封鎖装置機能弁の弁以外の封鎖機能をも有し、ボール中空部への空気送入後において、臍ゴム本体の機能、該封鎖装置機能専用体機能弁の封鎖装置機能専用体の機能、封鎖装置機能専用体に内包された球体形二重チューブ封鎖装置機能弁作動、空気通過路の消滅等、多重封鎖機能を司り完全封鎖化を計る効果的手段と特徴を持つ臍ゴムにおける空気漏れ封鎖機能弁装置。
【手続補正書】
【提出日】平成22年7月5日(2010.7.5)
【手続補正１】
【補正対象書類名】明細書
【補正対象項目名】０００５
【補正方法】変更
【補正の内容】
【０００５】  臍ゴムは、サッカー、バレーボール、軟式テニスボールなど臍ゴムをもって空気をボール中空部に送出入とその空気封鎖を兼ねる弁で、本発明の臍ゴムにおける空気漏れ封鎖装置弁は、臍ゴム内の空気の封鎖を高める封鎖装置機能弁で、臍ゴム本体の底部に空体部を設け、その空体部に、本体とは別機能なる封鎖専用装置としての封鎖装置機能体を、臍ゴム本体とは封鎖機能を異にした封鎖装置機能専用体として反発性や狭窄機能弾性の強い生ゴムや、生ゴムに硫黄を加硫した高分子化ゴム、またゴム弾性強調する合成高分子化合ゴムなどを主体とした収縮性、弾性や機密性を強調する封鎖装置機能専用体を臍ゴム本体の底部に設置し、更にこの専用体内に、空気の完全封鎖を計る封鎖装置機能弁となる球体形二重チューブを設けてなる球体形二重チューブ封鎖装置機能弁を内包し、封鎖装置機能専用体と併設するもので、その球体形二重チューブ封鎖装置機能弁は、球体形二重チューブの封鎖装置機能弁の内側チューブ内には、内側チューブ容器として強化ゴムチューブや高分子ゴムやポリエチレンチューブ、アルミチューブを要し、内側チューブ内には、空気中成分の水分に触媒凝固する瞬間接着剤の原材料なるシアノアクリレートのゼリー体から成り、外側チューブは、天然ゴムや合成高分子化合ゴムに凹凸を設け、凹凸部の空気と共にゼリー化したシアノアクリレートと接触時において凝固反応体としての空気中成分の水分との触媒凝固、凝固協調材となる極小紙微粒子、極小木微粒子や極小軽量微粒子など極小微粒子群を空気部に凝固封鎖補助材として混入空気層を外側チューブと内側チューブ間に置く機能体空気層となり、内側外側チューブの合設で球体形二重チューブ封鎖装置機能弁となるもので、空気送入時は、空気送入針により球体形二重チューブ封鎖装置機能弁内包する封鎖装置機能専用体を貫通通過時、封鎖装置機能専用体の機能と球体形二重チューブ封鎖装置機能弁の機能をもつ封鎖装置機能専用体は、空気送入機能と空気封鎖機能と共有の該封鎖装置機能専用体機能弁となり、空気送入時、球体形二重チューブ封鎖装置機能弁において、空気送入針により内側外側チューブの合設部の針入部、針出部に入針、入針により針入部、針出部が破れ、空気封鎖機能がシアノアクリレート凝固剤と空気と凝固封鎖補助材の極小微粒子群混入により空気層にて凝固封鎖機能が作動し、即ち球体形二重ゴムチューブの上部から下部への空気送入針による貫通孔開、貫通孔開後の針排出後において、外側チューブ内の空気中成分の水分と反応凝固する凝固剤に対応凝固する凝固協調材極小微粒子群の極小微粒子群入り空気層は凝固封鎖に至り、ボール内中空部空気の完全封鎖を計る封鎖装置機能弁となる該封鎖装置機能専用体機能弁機能として、空気送入時瞬間的に作動、貫通孔の空気送入針の針入部、針出部の凝固封鎖に至るもので、球体形二重チューブの貫通孔の空気送入針の針入部、針出部の凝固に至り中空体の空気の完全封鎖を計り、該封鎖装置機能専用体機能弁なる空気送入と空気封鎖を司る弁となり、しかも空気流路は、臍ゴム本体と臍ゴム本体とは封鎖機能を異にした収縮性や機密性を強調する封鎖装置機能専用体なる封鎖装置機能専用弁自身と、専用弁に内包した、球体形二重チューブ封���装置機能弁による空気漏れ封鎖の機能効果的特徴を持つ封鎖装置機能体弁となるもので、球体形状二重チューブへの貫通孔針入部、貫通孔針出部の凝固封鎖の実行を司り、その他空気送入針抜粋後においては内側チューブ内の、ゼリー化した主成分シアノアクリレート自身のゼリー体故の空気通過路の消滅をみるもので、封鎖装置機能弁の弁以外の封鎖機能をも有し、ボール中空部への空気送入後において、臍ゴム本体の機能、該封鎖装置機能専用体機能弁の封鎖装置機能専用体の機能、封鎖装置機能専用体に内包された球体形二重チューブ封鎖装置機能弁作動、空気通過路の消滅等、多重封鎖機能を司り完全封鎖化を計る効果的手段と特徴を持つ臍ゴムにおける空気漏れ封鎖機能弁装置。
【手続補正２】
【補正対象書類名】明細書
【補正対象項目名】０００６
【補正方法】変更
【補正の内容】
【０００６】  臍ゴムにおける空気漏れ封鎖装置弁は、臍ゴム本体とは封鎖機能を異にした封鎖装置機能専用体としての反発性や狭窄機能弾性の強い生ゴムや、生ゴムに硫黄を加硫した高分子化ゴム、またゴム弾性を示す合成高分子化合ゴムを主体とした収縮性、弾性や機密性を強調する封鎖装置機能専用体を設置し、更に、この専用体に、空気の完全封鎖を計る封鎖装置機能弁となる球体形二重チューブ封鎖装置機能弁を内包し併設するもので、併設したものを臍ゴム空体部に設入設置装備して空気漏れ防止機能封鎖装置と成るもので、封鎖装置機能弁併設の封鎖装置機能専用体は空気送入と空気封鎖の両機能を司る該封鎖装置機能専用体機能弁となり、その該封鎖装置機能専用体機能弁は、空気漏れ封鎖装置弁として封鎖機能なる主なる封鎖機能弁となる。中でも臍ゴム本体とは封鎖機能を異にした封鎖装置機能専用体なる封鎖装置機能専用体自身と、専用体に内包した、球体形二重チューブ封鎖装置機能弁の合体の該封鎖装置機能専用体機能弁は、球体形二重チューブ封鎖装置機能弁内のシアノアクリレートのゼリー体に即応する空気中成分の水分との触媒凝固の空気や凝固協調材となる極小紙微粒子や極小木微粒子、極小軽量微粒子など極小微粒子群混入空気層なる凝固反応や凝固封鎖に効果は大きく、またシアノアクリレートのゼリー体自身の空気通路の消滅機能化は、封鎖効果の拡大に繋がる効果は該弾性封鎖体塊弁そのものであり空気漏れ防止機能封鎖装置の主用要素であり効果は計り知れないものがある。
【手続補正３】
【補正対象書類名】明細書
【補正対象項目名】０００７
【補正方法】変更
【補正の内容】
【０００７】  空気の完全封鎖を計り封鎖装置機能弁となる該封鎖装置機能専用体機能弁の封鎖装置機能専用体、球体形二重チューブは、空気送入針により封鎖装置機能専用体を通り球体形二重チューブを貫通孔開に至るもので、球体形二重チューブの上部から下部への空気送入針による貫通孔開、貫通孔開後において、封鎖装置機能専用体の球体形二重チューブの内側チューブ内のシアノアクリレートのゼリー体は、外側チューブ凹凸部内のシアノアクリレートのゼリー体に対応即応凝固反応する空気および凝固協調補助材となる極小紙微粒子や極小木微粒子、極小軽量微粒子など極小微粒子群混入空気層と対応し凝固反応する。該封鎖装置機能専用体機能弁が内包する球体形二重チューブ封鎖装置機能弁がボール内中空部の空気を封鎖作動に至り、球状二重ゴムチューブの貫通孔の空気送入針の針入部、針出部の凝固封鎖に至る。機能的球状二重ゴムチューブの効果そのものである。
【手続補正４】
【補正対象書類名】明細書
【補正対象項目名】００１１
【補正方法】変更
【補正の内容】
【００１１】  本発明の機能に関わる球体形二重チューブの内側チューブ内のシアノアクリレートのゼリー体は、他の即応瞬間的凝固封鎖機能が変わらないゼリー体、溶液使用の場合、変更使用においては、空気漏れ封鎖機能弁装置としての効果は変わらない。ノルマルヘキサン、シクロヘキサン入り天然ゴム系接着剤や合成ゴム系接着剤がある。また、封鎖装置機能専用体や球体形二重チューブのチューブ本体原材料の機能や封鎖補助材においても適応性、機能が変わらない場合においては空気漏れ防止封鎖機能効果は変わらない。球体形二重チューブ内の紙微粒子、木の微粒子以外のものも微粒子の軽量、粘着度の適応性があれば可とする空気漏れ封鎖弁機能装置の封鎖補助材となる。
【手続補正５】
【補正対象書類名】明細書
【補正対象項目名】００１９
【補正方法】変更
【補正の内容】
【００１９】  図５、図６について、球体形二重チューブ封鎖装置機能弁９の外側チューブ凹凸をもった凹凸つき強い生ゴムや、生ゴムに硫黄を加硫した高分子化ゴムで形成され機能化された凝固協調材となる極小紙微粒子や極小木微粒子、極小軽量微粒子、極小微粒子群混入空気層を設けた外側チューブ１５は、内側チューブ１４とセッティングし球体形二重チューブ封鎖装置機能弁９となる。外側チューブ１５に凹凸部を設けたことにより球体形二重チューブ封鎖装置機能弁９の安定的セッティングが得られる。
【手続補正６】
【補正対象書類名】明細書
【補正対象項目名】００２２
【補正方法】変更
【補正の内容】
【００２２】  図９は、封鎖装置機能専用体１２と球体形二重チューブ封鎖装置機能弁９の外側チューブ凹凸をもった凹凸つき強い生ゴムや、生ゴムに硫黄を加硫した高分子化ゴムで形成され機能化された凝固協調材となる極小紙微粒子や極小木微粒子、極小軽量微粒子など極小微粒子群混入空気層１５´を設けた外側チューブ１５と一体化したものに、空気と接触時凝固反応するシアノアクリレートのゼリー体１４入り内側チューブ１４ゼリー体入り内側チューブを封鎖装置機能専用体１２と球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子など極小微粒子群混入空気層１５´を設けた外側チューブ１５と一体化したものにセッティングする。工程として利点もあり、球体形二重チューブ使用の球体形二重チューブ封鎖装置機能弁９と封鎖効果は変わらない。セッティング方法は球体形二重チューブ封鎖装置機能弁９使用と変わらない。
【手続補正７】
【補正対象書類名】明細書
【補正対象項目名】００２３
【補正方法】変更
【補正の内容】
【００２３】  凝固協調材となる極小紙微粒子や極小木微粒子、極小軽量微粒子など極小微粒子群については、外側チューブ１５凹凸部または内側チューブ１３表面に軽く塗布状に筆または刷毛で着床、内側チューブ、外側チューブとのセッティングで微粒子入り空気層１５´となる。
【手続補正８】
【補正対象書類名】明細書
【補正対象項目名】００２５
【補正方法】変更
【補正の内容】
【００２５】  ［図５］内側チューブ１３に、容器としての内側チューブ送入口１８より接触時において凝固反応体なるゼリー体１４を真空装填し、送入口１８を封鎖し、凹凸をもった凹凸つき強い生ゴムや、生ゴムに硫黄を加硫した高分子化ゴムで形成された機能化され、凝固協調材となる極小紙微粒子や極小木微粒子、極小軽量微粒子、極小微粒子群混入空気層１５´を設けた外側チューブ１５を、外側チューブ１５と内側チューブ１３の合設前の斜視実施図。
【手続補正９】
【補正対象書類名】明細書
【補正対象項目名】００２５
【補正方法】変更
【補正の内容】
【００２５】  ［図９］封鎖装置機能専用体１２と球体形二重チューブ封鎖装置機能弁９の外側チューブ凹凸をもった凹凸つき強い生ゴムや、生ゴムに硫黄を加硫した高分子化ゴムで形成され機能化された凝固協調材となる極小紙微粒子や極小木微粒子、極小軽量微粒子、極小微粒子群混入空気層１５´を設けた外側チューブ１５と一体化したものに、空気と接触時凝固反応するシアノアクリレートのゼリー体１４入り内側チューブ１４ゼリー体入り内側チューブを封鎖装置機能専用体１２と球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子、極小微粒子群混入空気層１５´を設けた外側チューブ１５と一体化したものにセッティング後の断面図。
【手続補正１０】
【補正対象書類名】特許請求の範囲
【補正対象項目名】請求項１
【補正方法】変更
【補正の内容】
【請求項１】
臍ゴムは、サッカー、バレーボール、軟式テニスボールなど臍ゴムをもって空気をボール中空部に送出入とその空気封鎖を兼ねる弁で、本発明の臍ゴムにおける空気漏れ封鎖装置弁は、臍ゴム内の空気の封鎖を高める封鎖装置機能弁で、臍ゴム本体の底部に空体部を設け、その空体部に、本体とは別機能なる封鎖専用装置としての封鎖装置機能体を、臍ゴム本体とは封鎖機能を異にした封鎖装置機能専用体として反発性や狭窄機能弾性の強い生ゴムや、生ゴムに硫黄を加硫した高分子化ゴム、またゴム弾性強調する合成高分子化合ゴムなどを主体とした収縮性、弾性や機密性を強調する封鎖装置機能専用体を臍ゴム本体の底部に設置し、更にこの専用体内に、空気の完全封鎖を計る封鎖装置機能弁となる球体形二重チューブを設けてなる球体形二重チューブ封鎖装置機能弁を内包し、封鎖装置機能専用体と併設するもので、その球体形二重チューブ封鎖装置機能弁は、球体形二重チューブの封鎖装置機能弁の内側チューブ内には、内側チューブ容器として強化ゴムチューブや高分子ゴムやポリエチレンチューブ、アルミチューブを要し、内側チューブ内には、空気中成分の水分に触媒凝固する瞬間接着剤の原材料なるシアノアクリレートのゼリー体から成り、外側チューブは、天然ゴムや合成高分子化合ゴムに凹凸を設け、凹凸部の空気と共にゼリー化したシアノアクリレートと接触時において凝固反応体としての空気中成分の水分との触媒凝固、凝固協調材となる極小紙微粒子、極小木微粒子や極小軽量微粒子など極小微粒子群を空気部に凝固封鎖補助材として混入空気層を外側チューブと内側チューブ間に置く機能体空気層となり、内側外側チューブの合設で球体形二重チューブ封鎖装置機能弁となるもので、空気送入時は、空気送入針により球体形二重チューブ封鎖装置機能弁内包する封鎖装置機能専用体を貫通通過時、封鎖装置機能専用体の機能と球体形二重チューブ封鎖装置機能弁の機能をもつ封鎖装置機能専用体は、空気送入機能と空気封鎖機能と共有の該封鎖装置機能専用体機能弁となり、空気送入時、球体形二重チューブ封鎖装置機能弁において、空気送入針により内側外側チューブの合設部の針入部、針出部に入針、入針により針入部、針出部が破れ、空気封鎖機能がシアノアクリレート凝固剤と空気と凝固封鎖補助材の極小微粒子群混入により空気層にて凝固封鎖機能が作動し、即ち球体形二重ゴムチューブの上部から下部への空気送入針による貫通孔開、貫通孔開後の針排出後において、外側チューブ内の空気中成分の水分と反応凝固する凝固剤に対応凝固する凝固協調材極小微粒子群の極小微粒子群入り空気層は凝固封鎖に至り、ボール内中空部空気の完全封鎖を計る封鎖装置機能弁となる該封鎖装置機能専用体機能弁機能として、空気送入時瞬間的に作動、貫通孔の空気送入針の針入部、針出部の凝固封鎖に至るもので、球体形二重チューブの貫通孔の空気送入針の針入部、針出部の凝固に至り中空体の空気の完全封鎖を計り、該封鎖装置機能専用体機能弁なる空気送入と空気封鎖を司る弁となり、しかも空気流路は、臍ゴム本体と臍ゴム本体とは封鎖機能を異にした収縮性や機密性を強調する封鎖装置機能専用体なる封鎖装置機能専用弁自身と、専用弁に内包した、球体形二重チューブ封鎖装置機能弁による空気漏れ封鎖の機能効果的特徴を持つ封鎖装置機能体弁となるもので、球体形状二重チューブへの貫通孔針入部、貫通孔針出部の凝固封鎖の実行を司り、その他空気送入針抜粋後においては内側チューブ内の、ゼリー化した主成分シアノアクリレート自身のゼリー体故の空気通過路の消滅をみるもので、封鎖装置機能弁の弁以外の封鎖機能をも有し、ボール中空部への空気送入後において、臍ゴム本体の機能、該封鎖装置機能専用体機能弁の封鎖装置機能専用体の機能、封鎖装置機能専用体に内包された球体形二重チューブ封鎖装置機能弁作動、空気通過路の消滅等、多重封鎖機能を司り完全封鎖化を計る効果的手段と特徴を持つ臍ゴムにおける空気漏れ封鎖機能弁装置。
【手続補正書】
【提出日】平成22年8月26日(2010.8.26)
【手続補正１】
【補正対象書類名】手続補正書
【補正対象項目名】手続補正８
【補正方法】変更
【補正の内容】
【手続補正８】
【補正対象書類名】明細書
【補正対象項目名】００２５
【補正方法】変更
【補正の内容】
【００２５】
【図１】本発明の空気漏れ防止封鎖弁装置の装置作成過程の断面実施図、臍ゴム本体に設けられた空体部５に、封鎖装置機能専用体１２と、この封鎖装置機能専用体１２に内包する空気封鎖遮断を計る目的なる球体形二重チューブ封鎖装置機能弁９設置の該弾性封鎖体塊弁１０を挿入する概略断面図である。
【図２】本発明の空気漏れ防止封鎖弁装置の装置作成過程の断面実施図、臍ゴム本体に設けられた空体部５に、封鎖装置機能専用体１２と、この封鎖装置機能専用体９に内包する空気封鎖遮断を計る目的なる球体形二重チューブ封鎖装置機能弁９を合設の該封鎖装置機能専用体機能弁１０に空気送出入針７を臍ゴムに射し入れ後の概略断面図と臍ゴム部の裏面図２１。
【図３】本発明の空気漏れ防止封鎖弁装置の装置作成過程の断面実施図で、臍ゴム本体に設けられた空体部５に、封鎖装置機能専用体１２と、この封鎖装置機能専用体１２に内包する空気封鎖遮断を計る目的なる球状二重ゴムチューブ封鎖装置機能弁９設置の該封鎖装置機能専用体機能弁１０に挿入後、空気送出入針７の空気送出入針７抜粋後における該封鎖装置機能専用体機能弁１０の空気漏れ防止封鎖弁装置作動後の凝固封鎖１６，１７の概略断面実施図。
【図４】該封鎖装置機能専用体機能弁１０の封鎖実施後の概略断面実施拡大図である。
【図５】内側チューブ１３に、容器としての内側チューブ送入口１８より接触時において凝固反応体なるゼリー体１４を真空装填し、送入口１８を封鎖し、凹凸をもった凹凸つき強い生ゴムや、生ゴムに硫黄を加硫した高分子化ゴムで形成された機能化され、凝固協調材となる極小紙微粒子や極小木微粒子、極小軽量微粒子、極小微粒子群混入空気層１５´を設けた外側チューブ１５を、外側チューブ１５と内側チューブ１３の合設前の斜視実施図。
【図６】外側チューブ１５と内側チューブ１３の合設した球体形二重チューブ封鎖装置機能弁９の断面図。
【図７】封鎖装置機能専用体１２に設けられた球体形二重チューブ封鎖装置機能弁９のセッティング空部１９。封鎖装置機能専用体１２に、球体形二重チューブ封鎖装置機能弁９のセッティング口切れ目２０斜視実施図。
【図８】封鎖装置機能専用体１２に球体形二重チューブ封鎖装置機能弁９セッティング後の断面図。
【図９】封鎖装置機能専用体１２と球体形二重チューブ封鎖装置機能弁９の外側チューブ凹凸をもった凹凸つき強い生ゴムや、生ゴムに硫黄を加硫した高分子化ゴムで形成され機能化された凝固協調材となる極小紙微粒子や極小木微粒子、極小軽量微粒子、極小微粒子群混入空気層１５´を設けた外側チューブ１５と一体化したものに、空気と接触時凝固反応するシアノアクリレートのゼリー体１４入り内側チューブ１４ゼリー体入り内側チューブを封鎖装置機能専用体１２と球体形二重チューブ封鎖装置機能弁９の外側チューブ凹凸をもった凹凸つき強い生ゴムや、生ゴムに硫黄を加硫した高分子化ゴム等で形成され機能化された凝固協調材となる極小紙微粒子や極小木微粒子、極小軽量微粒子、極小微粒子群混入空気層１５´を設けた外側チューブ１５と一体化したものにセッティング後の断面図。
【手続補正２】
【補正対象書類名】手続補正書
【補正対象項目名】手続補正９
【補正方法】削除
【補正の内容】